(57)【要約】【課題】  フィルターから除去された塵埃がフィルターの上流に位置する通風路側に流出することを防ぎ、清掃効率を高めて、塵埃除去性能を向上させることができるフィルター清掃装置を提供する。【解決手段】  塵埃を捕集するフィルター体１、１ａと、このフィルター体１、１ａの上流側に備えられた通風路２と、この通風路２内に可動自在に備えられると共に、フィルター体１に当接し、フィルター体１に付着した塵埃６を回動して除去する清掃体３と、開口４を有し、この開口４を介して通風路２と連通する塵埃収容部５と、清掃体３が除去した塵埃６を塵埃収容部５へと導く塵埃誘導壁７とを有している。そして、塵埃誘導壁７は、フィルター清掃装置の内壁１０ａから通風の下流側に向かって延出している。【選択図】図５
2018019795.tif 000002
【特許請求の範囲】
【請求項１】
フィルター清掃装置は、
塵埃を捕集するフィルター体と、
前記フィルター体の上流側に備えられた通風路と、
前記通風路内に可動自在に備えられると共に、前記フィルター体に当接し、該フィルター体に付着した塵埃を除去する清掃体と、
開口を有し、該開口を介して前記通風路と連通する塵埃収容部と、前記清掃体が除去した塵埃を前記塵埃収容部へと導く塵埃誘導壁と、を有し、
前記塵埃誘導壁は前記フィルター清掃装置内壁から通風の下流側に向かって延出するとともに、前記清掃体が動作停止時において、前記清掃体の先端部に作用している慣性力の延長線を越えるよう形成したことを特徴とするフィルター清掃装置。
【請求項２】
フィルター清掃装置は、
塵埃を捕集する略円弧状のフィルター体と、
前記フィルター体の上流側に備えられた通風路と、
前記通風路内に可動自在に備えられると共に、前記フィルター体に当接し、該フィルター体に付着した塵埃を回動又は回転して除去する清掃体と、
開口を有し、該開口を介して前記通風路と連通する塵埃収容部と、前記清掃体が除去した塵埃を前記塵埃収容部へと導く塵埃誘導壁と、を有し、
前記塵埃誘導壁は前記フィルター清掃装置内壁から通風の下流側に向かって延出するとともに、前記清掃体が動作停止時において、前記清掃体の先端部を通過する接線を越えるよう形成したことを特徴とするフィルター清掃装置。
【請求項３】
フィルター清掃装置は、
塵埃を捕集するフィルター体と、
前記フィルター体の上流側に備えられた通風路と、
前記通風路内に可動自在に備えられると共に、前記フィルター体に当接し、該フィルター体に付着した塵埃を除去する清掃体と、
開口を有し、該開口を介して前記通風路と連通する塵埃収容部と、前記清掃体が除去した塵埃を前記塵埃収容部へと導く塵埃誘導壁と、を有し、
前記塵埃誘導壁は前記フィルター清掃装置内壁から通風の下流側に向かって延出するとともに、前記清掃体が動作停止時において、前記清掃体の先端部を通過する水平線を越えるよう形成したことを特徴とするフィルター清掃装置。
【請求項４】
フィルター清掃装置は、
塵埃を捕集する略円弧状のフィルター体と、
前記フィルター体の上流側に備えられた通風路と、
前記通風路内に可動自在に備えられると共に、前記フィルター体に当接し、該フィルター体に付着した塵埃を回動又は回転して除去する清掃体と、
開口を有し、該開口を介して前記通風路と連通する塵埃収容部と、前記清掃体が除去した塵埃を前記塵埃収容部へと導く塵埃誘導壁と、を有し、
前記塵埃誘導壁は前記フィルター清掃装置内壁から通風の下流側に向かって延出するとともに、
前記清掃体が摺接する略円弧状の前記フィルター体又は前記フィルター清掃装置内壁には前記清掃体との摺接端部を有し、前記塵埃誘導壁は、前記摺接端部を通過する接線を越えるよう形成され、前記摺接端部は、前記清掃体の回動中心又は回転中心を通過する鉛直線より通風下流側に形成されていることを特徴とするフィルター清掃装置。
【請求項５】
フィルター清掃装置は、
塵埃を捕集するフィルター体と、
前記フィルター体の上流側に備えられた通風路と、
前記通風路内に可動自在に備えられると共に、前記フィルター体に当接し、該フィルター体に付着した塵埃を除去する清掃体と、
開口を有し、該開口を介して前記通風路と連通する塵埃収容部と、前記清掃体が除去した塵埃を前記塵埃収容部へと導く塵埃誘導壁と、を有し、
前記塵埃誘導壁は前記フィルター清掃装置内壁から通風の下流側に向かって延出するとともに、
前記フィルター体の清掃時に、前記清掃体の清掃の延長動作により、前記清掃体は前記塵埃誘導壁に当接することを特徴とするフィルター清掃装置。
【請求項６】
塵埃誘導壁は、通風の風圧によって前記塵埃収容部の前記開口側に可動することを特徴とする請求項１〜５のいずれか１項に記載のフィルター清掃装置。
【請求項７】
塵埃誘導壁は、弾性体にて形成されていることを特徴とする請求項１〜６のいずれか１項に記載のフィルター清掃装置。
【請求項８】
フィルター体は、略円弧状となる曲面を備え、清掃体は、前記フィルター体の前記曲面に摺接しつつ回動又は回転することを特徴とする請求項１、３、５、６、７のいずれか１項に記載のフィルター清掃装置。
【請求項９】
槽体内に回転自在に配置され衣類などを収容する回転ドラム内に、送風手段及び加熱手段により発生した温風を、循環ダクトを経て循環供給して衣類を乾燥可能とするとともに、前記循環ダクトの前記槽体からの排気側に請求項１〜８のいずれか１項に記載のフィルター清掃装置を備えたことを特徴とする衣類乾燥機。
【発明の詳細な説明】
【技術分野】
【０００１】
本発明は、フィルターに付着した塵埃を除去するためのフィルター清掃装置と、このフィルター清掃装置を備えた衣類乾燥機に関するものである。
【背景技術】
【０００２】
従来から、衣類乾燥機等では、衣類から分離したリント（糸くず）等の塵埃を捕集するフィルターが設置されており、このフィルターに付着した塵埃を除去するためのフィルター清掃装置が備えられた衣類乾燥機が知られている（特許文献１）。
【先行技術文献】
【特許文献】
【０００３】
【特許文献１】特開２０１２−６５９０８号公報
【発明の概要】
【発明が解決しようとする課題】
【０００４】
しかしながら、上記特許文献１に記載のフィルター清掃装置は、円弧状のフィルターに摺接するブラシを回転シャフトに固定し、該回転シャフトを回転させてフィルターに付着した塵埃の除去を行っているため、フィルターの上流に位置する乾燥空気が導入される通風路側の導入口に、除去した塵埃の一部が流出することとなり、フィルター清掃装置の清掃効率を低下させる要因となっていた。
【０００５】
本発明は、前記従来の課題を解決するものであり、一旦フィルターから除去された塵埃がフィルターの上流に位置する通風路側に流出することを防ぎ、清掃効率を高めて、塵埃除去性能を向上させることができるフィルター清掃装置と、このフィルター清掃装置を備えた衣類乾燥機を提供することを目的とする。
【課題を解決するための手段】
【０００６】
前記従来の課題を解決するために、請求項１のフィルター清掃装置の発明は、塵埃を捕集するフィルター体と、前記フィルター体の上流側に備えられた通風路と、前記通風路内に可動自在に備えられると共に、前記フィルター体に当接し、該フィルター体に付着した塵埃を除去する清掃体と、開口を有し、該開口を介して前記通風路と連通する塵埃収容部と、前記清掃体が除去した塵埃を前記塵埃収容部へと導く塵埃誘導壁と、を有し、前記塵埃誘導壁は前記フィルター清掃装置内壁から通風の下流側に向かって延出するとともに、前記清掃体が動作停止時において、前記清掃体の先端部に作用している慣性力の延長線を越えるよう形成したことを特徴としている。したがって、清掃体によってフィルター体に付着している塵埃を除去することができると共に、塵埃が、塵埃誘導壁によって、フィルター体の上流側の通風路へ流出するのを防ぎ、確実に塵埃収容部へと収容することができる。
【０００７】
請求項２のフィルター清掃装置の発明は、塵埃を捕集する略円弧状のフィルター体と、前記フィルター体の上流側に備えられた通風路と、前記通風路内に可動自在に備えられると共に、前記フィルター体に当接し、該フィルター体に付着した塵埃を回動又は回転して除去する清掃体と、開口を有し、該開口を介して前記通風路と連通する塵埃収容部と、前記清掃体が除去した塵埃を前記塵埃収容部へと導く塵埃誘導壁と、を有し、前記塵埃誘導壁は前記フィルター清掃装置内壁から通風の下流側に向かって延出するとともに、前記清掃体が動作停止時において、前記清掃体の先端部を通過する接線を越えるよう形成したことを特徴としている。したがって、フィルター体が略円弧状であって、清掃体が回動又は回転してフィルター体に付着した塵埃を除去する構成の場合において、塵埃が、塵埃誘導壁によって、フィルター体の上流側の通風路へ流出するのを防ぎ、確実に塵埃収容部へと収容することができる。
【０００８】
請求項３のフィルター清掃装置の発明は、塵埃を捕集するフィルター体と、前記フィルター体の上流側に備えられた通風路と、前記通風路内に可動自在に備えられると共に、前記フィルター体に当接し、該フィルター体に付着した塵埃を除去する清掃体と、開口を有し、該開口を介して前記通風路と連通する塵埃収容部と、前記清掃体が除去した塵埃を前記塵埃収容部へと導く塵埃誘導壁と、を有し、前記塵埃誘導壁は前記フィルター清掃装置内壁から通風の下流側に向かって延出するとともに、前記清掃体が動作停止時において、前記清掃体の先端部を通過する水平線を越えるよう形成したことを特徴としている。したがって、清掃体によってフィルター体に付着している塵埃を除去することができると共に、塵埃が、塵埃誘導壁によって、フィルター体の上流側の通風路へ流出するのを防ぎ、確実に塵埃収容部へと収容することができる。
【０００９】
請求項４のフィルター清掃装置の発明は、塵埃を捕集する略円弧状のフィルター体と、前記フィルター体の上流側に備えられた通風路と、前記通風路内に可動自在に備えられると共に、前記フィルター体に当接し、該フィルター体に付着した塵埃を回動又は回転して除去する清掃体と、開口を有し、該開口を介して前記通風路と連通する塵埃収容部と、前記清掃体が除去した塵埃を前記塵埃収容部へと導く塵埃誘導壁と、を有し、前記塵埃誘導壁は前記フィルター清掃装置内壁から通風の下流側に向かって延出するとともに、前記清掃体が摺接する略円弧状の前記フィルター体又は前記フィルター清掃装置内壁には前記清掃体との摺接端部を有し、前記塵埃誘導壁は、前記摺接端部を通過する接線を越えるよう形成され、前記摺接端部は、前記清掃体の回動中心又は回転中心を通過する鉛直線より通風下流側に形成されていることを特徴としている。したがって、フィルター体が略円弧状であって、清掃体が回動又は回転してフィルター体に付着した塵埃を除去する構成の場合において、塵埃が、塵埃誘導壁によって、フィルター体の上流側の通風路へ流出するのを防ぎ、確実に塵埃収容部へと収容することができる。
【００１０】
請求項５のフィルター清掃装置の発明は、塵埃を捕集するフィルター体と、前記フィルター体の上流側に備えられた通風路と、前記通風路内に可動自在に備えられると共に、前記フィルター体に当接し、該フィルター体に付着した塵埃を除去する清掃体と、開口を有し、該開口を介して前記通風路と連通する塵埃収容部と、前記清掃体が除去した塵埃を前記塵埃収容部へと導く塵埃誘導壁と、を有し、前記塵埃誘導壁は前記フィルター清掃装置内壁から通風の下流側に向かって延出するとともに、前記フィルター体の清掃時に、前記清掃体の清掃の延長動作により、前記清掃体は前記塵埃誘導壁に当接することを特徴としている。したがって、清掃体によってフィルター体に付着している塵埃を除去することができると共に、塵埃が、塵埃誘導壁によって、フィルター体の上流側の通風路へ流出するのを防ぎ、確実に塵埃収容部へと収容することができる。また、清掃体が塵埃誘導壁に当接することによって、清掃体に付着している塵埃を塵埃収容部へこそぎ落とすことができる。
【００１１】
請求項６のフィルター清掃装置の発明は、請求項１〜５のいずれかのフィルター清掃装置において、塵埃誘導壁は、通風の風圧によって前記塵埃収容部の前記開口側に可動することを特徴としている。したがって、乾燥運転時に通風路を確保することができるとともに、塵埃収容部内の塵埃が舞い散るのを防ぐことができる。
【００１２】
請求項７のフィルター清掃装置の発明は、請求項１〜６のいずれかのフィルター清掃装置において、塵埃誘導壁は、弾性体にて形成されていることを特徴としている。したがって、通風の風圧によって塵埃誘導壁を塵埃収容部の開口側に可動し易くすることができ、通風路を確保することができるとともに、塵埃収容部内の塵埃が舞い散るのを防ぐことができる。
【００１３】
請求項８のフィルター清掃装置の発明は、請求項１、３、５〜７のいずれかのフィルター清掃装置において、フィルター体は、略円弧状となる曲面を備え、清掃体は、前記フィルター体の前記曲面に摺接しつつ回動又は回転することを特徴としている。したがって、清掃体の回動又は回転動作により塵埃を除去できるため、機構が複雑にならず、清掃動作を省スペースで行うことができる。また、塵埃が、塵埃誘導壁によって、フィルター体の上流側の通風路へ流出するのを防ぎ、確実に塵埃収容部へと収容することができる。
【００１４】
請求項９の衣類乾燥機の発明は、槽体内に回転自在に配置され衣類などを収容する回転ドラム内に、送風手段及び加熱手段により発生した温風を、循環ダクトを経て循環供給して衣類を乾燥可能とするとともに、前記循環ダクトの前記槽体からの排気側に請求項１〜８のいずれかのフィルター清掃装置を備えたことを特徴としている。したがって、塵埃が、塵埃誘導壁によって、フィルター体の上流側の通風路へ流出するのを防ぎ、確実に塵埃収容部へと収容することで、清掃効率を高めて、塵埃除去性能を向上させることができるとともに、衣類の乾燥時間及び乾燥効率を向上させる衣類乾燥機を提供することができる。
【発明の効果】
【００１５】
請求項１〜５、８のフィルター清掃装置の発明は、清掃体によってフィルター体に付着している塵埃を除去することができると共に、塵埃が、塵埃誘導壁によって、フィルター体の上流側の通風路へ流出するのを防ぎ、確実に塵埃収容部へと収容することができ、清掃効率を高めて、塵埃除去性能を向上させることができる。また、請求項６及び７のフィルター清掃装置の発明は、通風路を確保することができるとともに、塵埃収容部内の塵埃が舞い散るのを防ぐことができる。
【００１６】
また、請求項９の衣類乾燥機の発明は、上記フィルター清掃装置を備えることで、衣類の乾燥時間及び乾燥効率を向上させることができる。塵埃が、塵埃誘導壁によって、フィルター体の上流側の通風路へ流出するのを防ぎ、確実に塵埃収容部へと収容することで、清掃効率を高めて、塵埃除去性能を向上させることができる。
【図面の簡単な説明】
【００１７】
【図１】本発明に係る衣類乾燥機を示す斜視図
【図２】本発明に係る衣類乾燥機の内部構成を示す断面図
【図３】本発明に係るフィルター清掃装置を示す斜視図
【図４】図３のＡ−Ａ断面図
【図５】本発明に係るフィルター清掃装置の第１実施形態を示す断面図
【図６】本発明に係るフィルター清掃装置の第２実施形態を示す断面図
【図７】本発明に係るフィルター清掃装置の第３実施形態を示す断面図
【図８】本発明に係るフィルター清掃装置の第４実施形態を示す断面図
【図９】本発明に係るフィルター清掃装置の第５実施形態を示す断面図
【図１０】本発明に係るフィルター清掃装置の第６実施形態を示す断面図
【発明を実施するための形態】
【００１８】
以下、本発明の実施形態について、図面を参照しながら説明する。なお、この実施の形態によって本発明が限定されるものではない。
【００１９】
図１は、本発明に係る衣類乾燥機を示す斜視図であり、図２は、同衣類乾燥機の内部構造を示す断面図である。これらの図を用いて本発明に係る衣類乾燥機について説明する。本発明に係る衣類乾燥機２０は、前面にドア２０ａを備え、槽体２０ｄ内に回転自在に配置され衣類などを収容する回転ドラム２０ｂ内に、送風手段（ファン）２３及び加熱手段２２により発生した温風を、循環ダクト２１ａ、２１ｂ、２１ｃを経て循環供給して衣類を乾燥可能とするとともに、循環ダクト２１ａ、２１ｂ、２１ｃの槽体２０ｄからの排気側にフィルター清掃装置１０が設置されている。
【００２０】
符号２０ｃは、回転ドラム２０ｂを回転させるモータであり、このモータ２０ｃは、乾燥処理、洗濯処理、すすぎ処理や脱水処理といった様々な処理の間、回転ドラム２０ｂを回転させる。また、加熱手段２２には、一例として、熱交換器を使用することができる。尚、熱交換器の方式として、ヒートポンプ式やヒーター式等、様々な方式を採用することができる。また、衣類乾燥機２０は、ドラム式としているが、これに限定するものではなく、例えば縦型など様々の方式を採用することができる。
【００２１】
図３は、本発明に係るフィルター清掃装置を示す斜視図であり、図４は、図３のＡ−Ａ断面図である。これらの図を用いて本発明に係るフィルター清掃装置の概要を説明する。本発明に係るフィルター清掃装置１０は、塵埃を捕集するフィルター体１、１ａと、このフィルター体１、１ａの上流側に備えられた通風路２と、この通風路２内に可動自在に備えられると共に、フィルター体１に当接し、フィルター体１に付着した塵埃を除去する清掃体３と、開口４を有し、この開口４を介して通風路２と連通する塵埃収容部５と、清掃体３が除去した塵埃を塵埃収容部５へと導く塵埃誘導壁７とを有している。そして、塵埃誘導壁７はフィルター清掃装置の内壁１０ａから通風の下流側に向かって延出している。また、清掃体３は衣類乾燥機２０の本体側に設けられた駆動モータ（図示せず）を駆動源としており、清掃体３の回動軸上に設けられたギア３ｂが、駆動モータ（図示せず）の出力軸と噛み合うことで動力が清掃体３に伝わって回動する。
【００２２】
そして、乾燥運転時には、図３の矢印に示すように、通風が矢印Ｂ側から矢印Ｃ側へと流れている。この時、清掃体３は、図４に示すように、通風に対して略平行な位置で待機する状態となっている。ここで、塵埃誘導壁７は、塵埃を確実に塵埃収容部５へと収容する機能と、整流板として、通風の通りを良くする機能とを奏させるために設置されている。
【００２３】
図５は、本発明に係るフィルター清掃装置の第１実施形態を示す断面図である。図５に示す第１実施形態のフィルター清掃装置１０は、乾燥運転終了時にフィルター体１の清掃を行うものであり、具体的には、塵埃を捕集するフィルター体１、１ａと、このフィルター体１、１ａの上流側に備えられた通風路２と、この通風路２内に可動自在に備えられると共に、フィルター体１に当接し、フィルター体１に付着した塵埃６を回動して除去する清掃体３と、開口４を有し、この開口４を介して通風路２と連通する塵埃収容部５と、清掃体３が除去した塵埃６を塵埃収容部５へと導く塵埃誘導壁７とを有している。そして、塵埃誘導壁７は、フィルター清掃装置の内壁１０ａから通風の下流側に向かって延出している。尚、図５における清掃体３について、点線で表示しているものは、乾燥運転時の待機位置又は乾燥運転終了後の清掃動作の最中を表している。実線で表示しているものは、清掃動作終了時の停止位置を表している。
【００２４】
ここで、フィルター体１は、略円弧状に形成されている。また、塵埃誘導壁７は、清掃体３の動作停止時において、先端部７ａが清掃体３の先端部３ａを通過する接線Ｄを越えるように形成されている。上記のように構成されたフィルター清掃装置１０は、清掃体３の先端部３ａがフィルター体１に当接しながら付着している塵埃６を削ぎ落とすこととなると共に、除去した塵埃６を確実に塵埃収容部５に収容することができる。
【００２５】
また、清掃体３によるフィルター体１の清掃終了後、任意の時間で乾燥運転を行うことが好ましい。こうすることで、清掃体３によって清掃された塵埃６が乾燥運転の通風によりフィルター体１ａに押し付けられ、塵埃６が圧縮される。結果として塵埃収容部５により多くの塵埃を収容することが可能となり、使用者によるフィルター清掃装置の手入れの回数が減る。
【００２６】
図６は、本発明に係るフィルター清掃装置の第２実施形態を示す断面図である。図６に示す第２実施形態のフィルター清掃装置１０ｂは、乾燥運転終了時にフィルター体１ｂの清掃を行うものであり、具体的には、塵埃を捕集するフィルター体１ｂと、このフィルター体１ｂの上流側に備えられた通風路１３と、この通風路１３内に可動自在に備えられると共に、フィルター体１ｂに当接し、フィルター体１ｂに付着した塵埃６を、直線方向に可動して除去する清掃体８と、開口１１を有し、この開口１１を介して通風路１３と連通する塵埃収容部１２と、清掃体８が除去した塵埃６を塵埃収容部１２へと導く塵埃誘導壁９とを有している。
【００２７】
ここで、通風は、矢印Ｆ側から矢印Ｇ側へと流れている。また、塵埃誘導壁９は、フィルター清掃装置の内壁１０ａから通風の下流側に向かって延出していると共に、清掃体８の動作停止時において、塵埃誘導壁９の先端部９ａが清掃体８の先端部８ａに作用している慣性力の延長線Ｅを越えるよう形成されている。上記のように構成されたフィルター清掃装置１０ｂは、清掃体８の先端部８ａがフィルター体１ｂに当接しながら付着している塵埃６を削ぎ落とすこととなると共に、除去した塵埃６を確実に塵埃収容部１２に収容することができる。
【００２８】
図７は、本発明に係るフィルター清掃装置の第３実施形態を示す断面図である。図７に示す第３実施形態のフィルター清掃装置１０ｃは、乾燥運転終了時にフィルター体１ｃの清掃を行うものであり、具体的には、塵埃を捕集するフィルター体１ｃと、このフィルター体１ｃの上流側に備えられた通風路１４と、この通風路１４内に可動自在に備えられると共に、フィルター体１ｃに当接し、フィルター体１ｃに付着した塵埃６を、直線方向に可動して除去する清掃体８と、開口１１ａを有し、この開口１１ａを介して通風路１４と連通する塵埃収容部１２ａと、清掃体８が除去した塵埃６を塵埃収容部１２ａへと導く塵埃誘導壁１５とを有している。第３実施形態のフィルター清掃装置１０ｃの図６に示した第２実施形態のフィルター清掃装置１０ｂとの構成の相違点は、フィルター体１ｃ、清掃体８及び塵埃誘導壁１５が、通風路１４の上方に設置されている点である。
【００２９】
ここで、通風は、矢印Ｈ側から矢印Ｉ側へと流れている。また、塵埃誘導壁１５は、フィルター清掃装置の内壁１０ａから通風の下流側に向かって延出していると共に、清掃体８の動作停止時において、塵埃誘導壁１５の先端部１５ａが清掃体８の先端部８ａに作用している慣性力の延長線を越えるよう形成されている。上記のように構成されたフィルター清掃装置１０ｃは、清掃体８の先端部８ａがフィルター体１ｃに当接しながら付着している塵埃６を削ぎ落とすこととなると共に、除去した塵埃６を確実に塵埃収容部１２ａに収容することができる。
【００３０】
図８は、本発明に係るフィルター清掃装置の第４実施形態を示す断面図である。図８に示す第４実施形態のフィルター清掃装置１０ｄは、乾燥運転終了時にフィルター体１ｄの清掃を行うものであり、具体的には、塵埃を捕集するフィルター体１ｄ、１ｅと、このフィルター体１ｄ、１ｅの上流側に備えられた通風路３２と、この通風路３２内に可動自在に備えられると共に、フィルター体１ｄに当接し、フィルター体１ｄに付着した塵埃６を回転又は回動して除去する清掃体１６と、開口１１ｂを有し、この開口１１ｂを介して通風路３２と連通する塵埃収容部１２ｂと、清掃体１６が除去した塵埃６を塵埃収容部１２ｂへと導く塵埃誘導壁１７とを有している。そして、塵埃誘導壁１７は、フィルター清掃装置の内壁１０ａから通風の下流側に向かって延出している。
【００３１】
そして、フィルター体１ｄの清掃時に、清掃体１６の清掃の延長動作により、清掃体１６は塵埃誘導壁１７に当接する構成としている。尚、清掃体１６は、塵埃誘導壁１７に当接した後、変形して塵埃誘導壁１７を乗り越える構成とすることもできる。これにより、清掃体１６の先端部１６ａに付着した塵埃６を塵埃誘導壁１７の先端部１７ａでこそぎ落とすことができる。尚、フィルター体１ｄは、略円形状に形成されていてもよく、清掃体１６は、回動又は回転した後、停止する構成とすることもできる。他にもフィルター体１ｄは、図７のように平面状に形成されていてもよく、塵埃誘導壁１５を短く形成した場合、清掃体８が直線方向に清掃し、塵埃誘導壁１５に当接した後、変形して塵埃誘導壁１５を乗り越える構成とすることもできる。
【００３２】
図９は、本発明に係るフィルター清掃装置の第５実施形態を示す断面図である。図９に示す第５実施形態のフィルター清掃装置１０ｅと、図８に示した第４実施形態のフィルター清掃装置１０ｄとの相違点は、塵埃誘導壁１８の構成のみである。第５実施形態のフィルター清掃装置１０ｅにおいては、塵埃誘導壁１８は、弾性体にて形成されており、通風の風圧によって塵埃収容部１２ｂの開口１１ｃ側に可動する構成としている。これにより、通風路４２を確保することができるとともに、塵埃収容部１２ｂ内の塵埃６が舞い散るのを防ぐことができる。
【００３３】
尚、フィルター体１ｄは、略円弧状となる曲面を備え、清掃体１６の先端部１６ａは、フィルター体１ｄの曲面に摺接しつつ回動又は回転する構成とすることができ、この形態も本発明に含まれる。
【００３４】
図１０は、本発明に係るフィルター清掃装置の第６実施形態を示す断面図である。図１０に示す第６実施形態のフィルター清掃装置１０ｆは、乾燥運転終了時にフィルター体１ｆの清掃を行うものであり、具体的には、塵埃を捕集するフィルター体１ｆ、１ｇと、このフィルター体１ｆ、１ｇの上流側に備えられた通風路５２と、この通風路５２内に可動自在に備えられると共に、フィルター体１ｆに当接し、フィルター体１ｆに付着した塵埃６を回動又は回転して除去する清掃体１９と、開口１１ｄを有し、この開口１１ｄを介して通風路５２と連通する塵埃収容部１２ｃと、清掃体１９が除去した塵埃６を塵埃収容部１２ｃへと導く塵埃誘導壁２４とを有している。そして、塵埃誘導壁２４は、フィルター清掃装置の内壁から通風の下流側に向かって延出している。
【００３５】
また、清掃体１９が摺接する略円弧状のフィルター体１ｆ又はフィルター清掃装置内壁には清掃体１９との摺接端部２５を有し、塵埃誘導壁２４の先端部２４ａは、摺接端部２５を通過する接線Ｊを越えるよう形成され、摺接端部２５は、清掃体１９の回動中心又は回転中心を通過する鉛直線Ｋより通風下流側に形成されている。尚、乾燥運転時に清掃体１９は、通風に対して略平行な位置で待機する状態となっている。また、清掃体１９の長さは、フィルター体１ｆの円弧の半径よりも長くてもよく、これにより、図１０に示すように、先端部１９ａが撓んで塵埃６を掻き落とすことができる。また、一旦撓んだ清掃体１９の先端部１９ａがもとに戻る時に、斜め下方に塵埃６を跳ね飛ばすことができるため、より確実に塵埃６を塵埃収容部１２ｃへと収容することができる。また清掃体１９の先端部１９ａの先端の形状は、図１０で図示するように凹凸を有する形状にすることで、より塵埃６を掻き落とす効果が期待できる。
【００３６】
尚、第６実施形態のフィルター清掃装置１０ｆは、清掃体１９の動作停止時において、塵埃誘導壁２４の先端部２４ａが、清掃体１９の先端部１９ａを通過する水平線Ｌを越えるように形成することができる。これにより、清掃体１９によってフィルター体１ｆに付着している塵埃６を除去することができると共に、塵埃誘導壁２４によって、塵埃６がフィルター体１ｆの上流側の通風路５２へ流出するのを防ぎ、確実に塵埃収容部１２ｃへと収容することができる。
【産業上の利用可能性】
【００３７】
本発明に係るフィルター清掃装置は、フィルターに付着した塵埃を除去するために利用されるものである。また、本発明に係る衣類乾燥機は、フィルター清掃装置を備えた衣類乾燥機として利用される。
【符号の説明】
【００３８】
１、１ａ  フィルター体
２  通風路
３  清掃体
３ａ  清掃体の先端部
４  開口
５  塵埃収容部
６  塵埃
７  塵埃誘導壁
７ａ  塵埃誘導壁の先端部
１０  フィルター清掃装置
１０ａ  フィルター清掃装置内壁
２０  衣類乾燥機
２０ｂ  回転ドラム
２０ｃ  モータ
２０ｄ  槽体
２１ａ、２１ｂ、２１ｃ  循環ダクト
２２  加熱手段
２３  送風手段（ファン）
【図１】
2018019795.tif 000003
【図２】
2018019795.tif 000004
【図３】
2018019795.tif 000005
【図４】
2018019795.tif 000006
【図５】
2018019795.tif 000007
【図６】
2018019795.tif 000008
【図７】
2018019795.tif 000009
【図８】
2018019795.tif 000010
【図９】
2018019795.tif 000011
【図１０】
2018019795.tif 000012